Podtech/llm-jp-corpus-v4-ja_patent huggingface dataset:
(57)【要約】【課題】高級感を向上させることができる陶器製のペンダントトップの提供。【解決手段】ペンダントトップ１は、正面の略中央位置に形成された周縁の形状を円形とする凸球面状の表示部２と、表示部２の周縁に沿って円環状に形成された枠状部３とを備えている。表示部２は、ペットをモチーフにした図柄や写真などの所定の模様を表示している。枠状部３は、正面に形成されるとともに、外側から内側に向かうに従って厚みを小さくするように傾斜する傾斜面３１を有し、枠状部３の外縁は、枠状部３の内縁よりも正面側に向かって突出している。【選択図】図１
0003183718.tif 000002
【実用新案登録請求の範囲】
【請求項１】
板状に形成された陶器製のペンダントトップであって、
正面に形成されるとともに、所定の模様を表示する凸球面状の表示部と、
前記表示部の周縁に沿って枠状に形成された枠状部とを備え、
前記枠状部の外縁は、前記枠状部の内縁よりも正面側に向かって突出していることを特徴とする陶器製のペンダントトップ。
【考案の詳細な説明】
【技術分野】
【０００１】
本考案は、陶器製のペンダントトップに関する。
【背景技術】
【０００２】
従来、特許文献１に記載されているように、凸球面状の表示部を正面に有し、この表示部にペットをモチーフにした図柄や写真を表示した陶器製のペンダントトップが知られている。
このペンダントトップは、マイナスイオンを発生するとともに、遠赤外線を放射する天然鉱石の粉粒体を内包した陶器製のペンダントトップであり、ペットと、そのオーナーとが互いに装着することによって、ペットおよびオーナーの心の絆を深めることができるとともに、ペットおよびオーナーの自然治癒力を高めて健康で快適な生活を共にすることができる。
【先行技術文献】
【特許文献】
【０００３】
【特許文献１】登録実用新案第３１１０８３０号公報
【考案の概要】
【考案が解決しようとする課題】
【０００４】
ところで、特許文献１に記載されたペンダントトップは、直径を２０ｍｍ〜４０ｍｍとし、厚さを５ｍｍ〜１０ｍｍとして全体を略円盤状に形成している。また、このペンダントトップは、その正面に凸球面状の表示部を設けるとともに、その背面を平坦に形成している。
しかしながら、特許文献１に記載されたペンダントトップでは、凸球面状の表示部のみを正面に設けているので、柔らかく暖かな印象を与えることはできるものの、やや高級感に欠けるという問題がある。
【０００５】
本考案の目的は、高級感を向上させることができる陶器製のペンダントトップを提供することである。
【課題を解決するための手段】
【０００６】
本考案の陶器製のペンダントトップは、板状に形成された陶器製のペンダントトップであって、正面に形成されるとともに、所定の模様を表示する凸球面状の表示部と、表示部の周縁に沿って枠状に形成された枠状部とを備え、枠状部の外縁は、枠状部の内縁よりも正面側に向かって突出していることを特徴とする。
【０００７】
このような構成によれば、ペンダントトップは、凸球面状の表示部のみではなく、表示部の周縁に沿って枠状に形成された枠状部を正面に備え、この枠状部の外縁は、枠状部の内縁よりも正面側に向かって突出しているので、枠状部の影によって表示部の周縁付近に陰影をつけることができる。したがって、本発明の陶器製のペンダントトップによれば、高級感を向上させることができる。
【図面の簡単な説明】
【０００８】
【図１】本考案の一実施形態に係るペンダントトップの正面図および縦断面図
【図２】ペンダントトップの正面を斜め側方から見た図
【考案を実施するための形態】
【０００９】
以下、本考案の一実施形態を図面に基づいて説明する。
図１は、本考案の一実施形態に係る陶器製のペンダントトップの正面図および縦断面図である。なお、図１では、正面図を左側に示し、縦断面図を右側に示している。
ペンダントトップ１は、マイナスイオンを発生するとともに、遠赤外線を放射する天然鉱石の粉粒体を内包した陶器製であり、図１に示すように、全体として略円盤状に形成されている。このペンダントトップ１は、正面の略中央位置に形成された周縁の形状を円形とする凸球面状の表示部２と、表示部２の周縁に沿って円環状に形成された枠状部３とを備えている。
【００１０】
表示部２は、正面から背面にかけて貫通するように縁部に形成された貫通穴２１を有している。また、この表示部２は、ペットをモチーフにした図柄や写真などの所定の模様を表示している（図示略）。
枠状部３は、正面に形成されるとともに、外側から内側に向かうに従って厚みを小さくするように傾斜する傾斜面３１を有している（図１縦断面図参照）。換言すれば、枠状部３の外縁は、枠状部３の内縁よりも正面側に向かって突出している。
【００１１】
図２は、ペンダントトップ１の正面を斜め側方から見た図である。
このようなペンダントトップ１は、例えば、図２に示すように、表示部２に形成された貫通穴２１に紐やチェーンなどを通し、首にかけてペンダントとして使用したり、携帯電話機用のストラップとして使用したりすることができる。
【００１２】
このような本実施形態によれば、以下の作用・効果を奏することができる。
（１）ペンダントトップ１は、凸球面状の表示部２のみではなく、表示部２の周縁に沿って円環状に形成された枠状部３を正面に備え、この枠状部３の外縁は、枠状部３の内縁よりも正面側に向かって突出しているので、枠状部３の影によって表示部２の周縁付近に陰影をつけることができる。したがって、ペンダントトップ１によれば、高級感を向上させることができる。
【００１３】
なお、本考案は前記実施形態に限定されるものではなく、本考案の目的を達成できる範囲での変形、改良等は本考案に含まれるものである。
例えば、前記実施形態では、ペンダントトップ１は、円盤状に形成されていたが、矩形板状などの他の形状に形成されていてもよい。要するに、ペンダントトップは、板状に形成されていればよい。
【００１４】
前記実施形態では、表示部２は、周縁の形状を円形とする凸球面状に形成されていたが、例えば、周縁の形状を矩形とする凸球面状に形成されていてもよい。要するに、表示部は、凸球面状に形成されていればよい。なお、前記実施形態では、枠状部３は、円環状に形成されていたが、表示部２の周縁の形状を矩形とする場合には、矩形枠状に形成されていてもよい。要するに、枠状部は、表示部の形状に応じた枠状に形成されていればよい。
【００１５】
前記実施形態では、表示部２は、ペットをモチーフにした図柄や写真などの所定の模様を表示していたが、これとは異なる模様を表示していてもよい。要するに、表示部は、所定の模様を表示していればよい。
前記実施形態では、表示部２は、貫通穴２１を有していたが、これを有していなくてもよい。なお、この場合には、例えば、ペンダントトップをゴールドやシルバーなどの金属製の枠体に対して嵌め込み、この枠体に紐やチェーンなどを通すための部位を形成すればよい。
【産業上の利用可能性】
【００１６】
以上のように、本考案は、陶器製のペンダントトップに広く適用できる。
【符号の説明】
【００１７】
１    ペンダントトップ
２    表示部
３    枠状部
２１  貫通穴
３１  傾斜面
【図１】
0003183718.tif 000003
【図２】
0003183718.tif 000004
(57)【要約】      （修正有）【課題】スタンド部を設け自立する転ばない杖を提供する。【解決手段】把手５につながる本体ポール３はスタンド部８に挿入されており、スタンド部内のポールはネジになっていてナットにねじ込まれており、把手を左右に回すことにより上下に高さを調整できるようになっている。また、スタンド部８上部には本体ポール３の高さ調整後にポールを締付けるための締付金具６、中間には本体ポールを上下するためのナット、下部には杖全体が自立するためのゴム製安定板２を設けており当該安定板の中には歩行時の滑り止め用ゴム製石づきを設けており、当該石づきは歩行使用時には突出し歩行後は引っ込むようになっている。【選択図】図１
0003183712.tif 000002
【実用新案登録請求の範囲】
【請求項１】
本体ポールとスタンド部で構成された転ばない杖において、
（イ）把手（５）につながる本体ポール（３）はスタンド部（８）に挿入されており、
（ロ）スタンド部内のポールはネジになっていてナット（４）にねじ込まれているので把手を左右に回すことにより上下に高さを調整できるようになっており、
（ハ）スタンド部（８）上部には本体ポール（３）の高さ調整後にポールを締付けるための締付金具（６）、中間には本体ポールを上下するためのナット（４）、下部には杖全体が自立するためのゴム製安定板（２）を設けており
（ニ）当該安定板の中には歩行時の滑り止め用ゴム製石づき（７）を設けており、
（ホ）当該石づき（７）は歩行使用時には突出し歩行後は引っ込むようになっている。
上記（イ）から（ホ）より構成された転ばない杖。
【考案の詳細な説明】
【技術分野】
【０００１】  本考案は転ばない自立する杖に関する。
【背景技術】
【０００２】  老人など足の不自由な者が使用する杖は多種あるが、従来の杖は使用者の歩行補助具としての役割が中心のため杖自体が自立することがなかった。
【考案が解決しようとする課題】
【０００３】  従来の杖は使用していないときは杖が自立しないので壁に立てかけたりフックやテーブル又はいすにかけたりしないとならなくて置き場が限定され置き場に苦労した。杖自体を自立するように改造してどこにでも置けるようにすれば課題を解決することができる。
【課題を解決するための手段】
【０００４】  杖が自立するためにスタンド部を設け当該スタンド部には把手からつながる本体のポールを挿入し挿入したポールにはネジが切ってあり当該ネジ部はスタンド部の中間に設けたナットにねじ込まれて把手を左右に回すことにより使用者の背丈に応じて上下に動き高さを調整できるようにし、高さ調整後はスタンド部上部に備えた締付け金具により締め付け動かないようにしてある。
【０００５】  スタンド部の最下部に杖本体を自立させるための安定板を設け安定板の中には杖の石づきが設けてあって当該石づきは歩行使用時にはバネの力で飛び出し自立時は引っ込むようになっている
【図面の簡単な説明】
【０００６】
【図１】本考案の全体図
【図２】内部断面図
【図３】使用状態図
【考案を実施するための形態】
【０００７】    杖を使用しないときはテーブルの端や壁などに立てかけたりしないとならなかったので置き場所に苦労したが本考案は杖自体が自立するので置いておく場所を選ばず平地であればどこにでも立てておくことができる。
【実施例】
【０００８】  使用するには把手（５）を回して使用者の背丈にあわせ高さを調節し締付金具（６）で止める。歩行時はスタンド部最下部の石づき（７）が突出してすべりを防止し、歩行後石づきは安定板（２）内に収納され安定板が杖全体を支えて自立するようになっている。【０００９】  本考案の杖の重心はスタンド部最下部にあり半円形の安定板により全体を支持し自立するようになっており安定板はゴム製なので滑りにくく転倒しない。
また置いている間石づきは安定板の中に納まっているため自立の妨げとはならない。
【符号の説明】
【００１０】  １    本体支持棒
２    ゴム製安定板
３    本体ポール
４    ナット
５    把手
６    締付金具
７    石づき
８    スタンド部
【図１】
0003183712.tif 000003
【図２】
0003183712.tif 000004
【図３】
0003183712.tif 000005
(57)【要約】      （修正有）【課題】足場に張るシート類の結束を容易にし、作業効率を向上することができる結束バンドを提供する。【解決手段】自在に曲がる円形のバンドの片方をバンドの先端とし、そこにバンド先端のツマミと先端の取っ手、それに続いて鋸歯凸型の形状のバンドがあり、もう一方の端にはＵ字型の溝の中に鋸歯凹型を有するバンドの引抜防止機能を有する部分を設ける。自在に曲がる円形のバンド１をシートのハトメの穴を通し足場の建地鋼管７にバンド１を一周廻して、Ｕ字型の溝の中に鋸歯凹型を有するバンドの引抜防止部分４の中に鋸歯凸型を形成するバンド部分５を落し込んで取っ手３とツマミ２を引っぱって足場の建地鋼管７に締付ける。【選択図】図１
0003183710.tif 000002
【実用新案登録請求の範囲】
【請求項１】
自在に曲がる円形のバンドの片方をバンドの先端とし、そこにバンド先端のツマミと先端の取っ手、それに続いて鋸歯凸型を形成するバンドの一部分があり、もう一方の端にはＵ字型の溝の中に鋸歯凹型を形成するバンドの引抜防止機能を有する部分を特徴とする結束バンド。
【考案の詳細な説明】
【技術分野】
【０００１】本考案は建設業における足場に張るシート類の結束バンドに関するものである。
【背景技術】
【０００２】従来の足場に張るシート類に関してはシート結束紐をシート類のハトメを通して結束紐を蝶々結びにして使用していた。足場のシート用としての結束バンドはなかった。
【先行技術文献】
【特許文献】
【０００３】
【特許文献１】実用新案登録第３０８２８０１号
【非特許文献】
【０００４】
【非特許文献１】ヘラマンタイトン総合カタログ‘１１−‘１３年度版Ｐ３２〜Ｐ７３  ヘラマンタイトン（株）
【非特許文献２】モノタロウ間接資材総合カタログＲＥＤＢＯＯＫ  ｖｏｌ．８  Ｐ２５１シート紐  （株）ＭｏｎｏｔａＲＯ
【考案の概要】
【考案が解決しようとする課題】
【０００５】従来は次のような欠点があった。
足場のシートを張る場合、一枚のシートの四辺にあるハトメの穴にシート紐を通し、次に隣り合うシートのハトメの穴にもシート紐を通して両方のシート紐の端部を足場の建地に巻付けて蝶々結びで結びつける。その作業は全て手作業となるために、作業効率が悪かった。
本考案は、以上のような従来の欠点を鑑み、足場のシート用の結束バンドを提供して作業効率の向上を目的としている。
【課題を解決するための手段】
【０００６】上記目的を達成するために、本考案は、自在に曲がる円形のバンドの片方をバンドの先端とし、そこにバンド先端のツマミと先端の取っ手、それに続いて鋸歯凸型の形状のバンドがあり、もう一方の端にはＵ字型の溝の中に鋸歯凹型を有するバンドの引抜防止機能を有する部分とで結束バンドを構成している。
【考案の効果】
【０００７】以上の説明から明らかなように、本考案にあっては次に列挙する効果が得られる。
（１）  自在に曲がる円形バンドをシートのハトメの穴を通し足場の建地鋼管を一周まわした位置にある鋸歯凸型を形成するバンド部分をＵ字型の溝に落し込み、取っ手部を引っぱるとバンドが締り溝の内部ある鋸歯凹部が上記の鋸歯凸部と引っ掛かり逆の方向にバンドが抜けなくなる。
（２）  バンド先端のツマミが取っ手より大きいので段差が付くことによりバンドをはずした時に、足場のシート類のハトメに引っ掛かりバンドが抜け落ちない。
【図面の簡単な説明】
【０００８】
【図１】はベルトを固定した時の平面図
【図２】はベルトを外した時の平面図
【図３】はハーハ断面図
【図４】はニーニ断面図
【図５】はイーイ立面図
【図６】はローロ立面図
【図７】はバンドを固定する順序の参考図
【考案を実施するための形態】
【０００９】以下、本考案の実施の形態を図に基づいて説明する。
【実施例１】
【００１０】図１は、ベルトをＵ字型の溝の中に落し込んで固定した時の平面図である。
【実施例２】
【００１１】図２は、ベルトを外した時の平面図で、図３、図４はバンドの引抜き防止部分の縦横の断面図である。
【実施例３】
【００１２】図５、図６は、ベルトをＵ字型の溝の中に落し込んで固定した時の立面図である。
【実施例４】
【００１３】図７は、バンドを固定する順序の参考図で、上の図から自在に曲がる円形バンドをシートのハトメの穴を通し足場の建地鋼管を一周廻してＵ字型溝の中に鋸歯凸型を形成するバンド部分を落し込み、次に真ん中の図のように取っ手とツマミを引っぱってバンドを建地に締付けて、下の図のようにバンドを固定する。
【実施例５】
【００１４】本考案は足場のシート類の結束以外においてもバンドの長さ、太さを変えて他の物の結束に利用できる。
【符号の説明】
【００１５】１  バンド
２  バンド先端のツマミ
３  バンド先端の取っ手
４  バンドの引抜き防止部分
５  鋸歯凸型を形成するバンドの一部分
６  鋸歯凹型を形成するＵ字型の溝の内部
７  足場の建地鋼管（破線部、本考案対象外）
【図１】
0003183710.tif 000003
【図２】
0003183710.tif 000004
【図３】
0003183710.tif 000005
【図４】
0003183710.tif 000006
【図５】
0003183710.tif 000007
【図６】
0003183710.tif 000008
【図７】
0003183710.tif 000009
(57)【要約】      （修正有）【課題】狭いところなどで使用される、進行方向に直進・後進ができ、容易に左折・右折・回転できる移動車を提供する。【解決手段】フレーム１に固定車２が１箇所、自在車３が３カ所以上取り付けられた移動装置である。前後進は固定車２の進行方向に直進・後進できるし、左折・右折・回転時は固定車２を軸に回転が自在にできるため、容易に左折・右折・回転できる。【選択図】図１
0003183706.tif 000002
【実用新案登録請求の範囲】
【請求項１】
フレーム（１）に固定車（２）が１箇所、自在車（３）が３カ所以上取り付けられた移動装置
【考案の詳細な説明】
【技術分野】
【０００１】  この考案は、前後進は固定車（２）の進行方向に直進・後進できるし、左折・右折・回転時は固定車（２）を軸に回転が自在にできるため、簡単に左折・右折・回転できることを特徴とする移動装置に関する物である。
【背景技術】
【０００２】  従来の技術の欠点は、狭いところなどで使用される、全車が自在車（３）の移動装置を運転する場合、斜めに移動してしまい運転が困難であるし、又、２カ所固定車（２）・他自在車（３）の移動装置の場合、小回りができないため、狭い空間には移動が困難であった。前・後進運転が容易で克つ、左折右折・回転がで小回りが容易にできる移動装置が望まれていた。
【先行技術文献】
【０００３】
【考案の概要】
【考案が解決しようとする課題】
【０００４】  斜めに移動してしまい運転が困難、前・後進運転で、左折右折・回転がで小回りが困難。本考案はこれらの欠点を解決する為になされたものである。
【課題を解決するための手段】
【０００５】  フレーム（１）に固定車（２）が１箇所、自在車（３）が３カ所以上取り付けられた移動装置である。前後進は固定車（２）の進行方向に直進・後進できるし、左折・右折・回転時は固定車（２）を軸に回転が自在にできるため、容易に左折・右折・回転できる。本考案は以上の構成からなる移動装置である。
【考案の効果】
【０００６】  考案の効果を説明すれば、従来の移動装置とほぼ同額で制作できるし、移動装置を使用する者も容易に運転できるので、効果は非常に多大である。又、従来の既設移動装置も固定車（２）と自在車（３）を１個交換する事により、効果は全く同様で非常に多大となる優れた考案である。
【図面の簡単な説明】
【０００７】
【図１】  実施図…台車側面図
【図２】  実施図…台車背面図
【図３】  実施図…店舗用台車側面図
【図４】  実施図…店舗用台車背面図
【図５】  実施図…多車輪台車側面図
【図６】  実施図…多車輪台車背面図
【図７】  実施図…移動装置付き家具の斜視図
【図８】  実施図…移動装置付き家電の斜視図
【図９】  実施図…移動装置付き機械装置正面図
【考案を実施するための形態】
【０００８】  ［１］考案の構造を説明すれば、取って（４）付きフレーム（１）に固定車（２）が１箇所、自在車（３）が３カ所以上取り付けられた移動装置である。本考案は以上の構成からなる。
［２］取って（４）は、ある・なし任意である。
［３］駆動は動力式又は、人力式、半動力式他任意である。
［４］フレーム（１）もベース板式・網式・カゴ式・箱式・ベースフレーム式など任意である。移動装置としての台車単独、あるいは他の機械・装置・構造物・家具類・電化製品・機器を兼ねた移動装置・移動構造としても考えられるし、移動装置としての台車単独場合の形状も、角・丸・縦長・横長・板状・カゴ状その他任意の形状が考えられる。
［５］フレーム（１）・取って（４）・固定車（２）、自在車（３）で、車の材質もゴム・樹脂・金属・非鉄金属・木材・その他任意考えられるし、又、車フレームの材質も、金属・非鉄金属・樹脂・木材・その他任意に考えられる。
［６］固定車（２）は車輪・エッジ、自在車（３）もローラー・ボールの仕様も考えられるし、大形では自在車（３）の数も任意であるし、その他車の形状・サイズも任意に考えられる。
【符号の説明】
【０００９】  フレーム（１）、固定車（２）、自在車（３）、取って（４）、
【図１】
0003183706.tif 000003
【図２】
0003183706.tif 000004
【図３】
0003183706.tif 000005
【図４】
0003183706.tif 000006
【図５】
0003183706.tif 000007
【図６】
0003183706.tif 000008
【図７】
0003183706.tif 000009
【図８】
0003183706.tif 000010
【図９】
0003183706.tif 000011
(57)【要約】      （修正有）【課題】ベビーカーに連結できる買い物カゴ用台車を提供する。【解決手段】ベビーカーＢの後部の支柱の任意の箇所に、クリップで挟持して台車ＡはベビーカーＢに連結される。これにより、ベビーカーを所持してスーパーマーケット等で買物する人は、買物カゴ９を台車Ａに載せて移動できるので、安全で便利である。【選択図】図５
0003183705.tif 000002
【実用新案登録請求の範囲】
【請求項１】
台車（Ａ）は、２本の長尺状の板ないし棒からなるアーム（１ａ）（１ｂ）の先端が接続し後端はハの字状に開いて、全体がＶ字状又は略Ｕ字状に形成され、２本のアーム（１ａ）（１ｂ）の後部上面にＬ字状の固定具（３ａ）（３ｂ）を設け、このときＬ字状の開口部分が相互に向き合うように設け、アーム（１）の前方の前部（５）の上面に短尺状の固定具（２）を固定具（３ａ）（３ｂ）に対して向き合うように設け、アーム（１ａ）（１ｂ）の上に載置した買物カゴ（９）を狭持し、アーム（１）の前方に接続ロープ（６）を介して、その先端にクリップ（７）を設け、アーム（１）の前部（５）の下面と各アーム（１ａ）（１ｂ）の後部下面に車輪（４ａ）（４ｂ）（４ｃ）を設け、アーム（１ａ）とアーム（１ｂ）に橋渡すように買物カゴ（９）を載置し、ベビーカー（Ｂ）の後部支柱（８）の任意の箇所にクリップ（７）で挟持し、台車（Ａ）はベビーカー（Ｂ）に連結される。以上よりなる、買物カゴ用台車。
【考案の詳細な説明】
【技術分野】
【０００１】  この考案は、ベビーカーの後部に取り付け、買い物カゴをのせて移動が出来る買物カゴ用台車に関するものである。
【背景技術】
【０００２】  従来ベビーカーにはスーパーマーケットの買い物カゴを置くスペースは無かった。
【考案の概要】
【考案が解決しようとする課題】
【０００３】  これまでは、スーパーマーケットに買物に行って、ベビーカーを押して買物をすると、買物カゴを置く所が無く、腕に掛けたり無理やりベビーカーの屋根部分においたりして、不便で危険であった。
本考案は、以上のような欠点をなくす為に考えたものである。
【課題を解決するための手段】
【０００４】  買物カゴ用台車のクリップ（７）と、買物カゴを載せる台車（Ａ）の構成よりなる製品である。
【考案の効果】
【０００５】  ベビーカーの後部に連結可能とした買い物カゴ用台車であり、スーパーマーケットのカゴを本考案の台車に載せて移動できる為、ベビーカーを押す人はカゴを持つ必要が無く安全で便利である。
【図面の簡単な説明】
【０００６】
【図１】  本考案の斜視図である。
【図２】  本考案の使用状態を示す斜視図である。
【図３】  本考案の使用状態を示す斜視図である。
【図４】  本考案の使用状態を示す背面斜視図である。
【図５】  本考案の使用状態を示す斜視図である。
【考案を実施するための形態】
【０００７】    以下、本考案の実施をする為の形態について説明する。
イ、  台車（Ａ）は、２本の長尺状のアーム（１ａ）（１ｂ）の先端が接続し、後端はハ      の字状に開いて全体がＶ字状に形成される。
ロ、  二本の各アーム（１ａ）（１ｂ）の後部の上面にＬ字状の固定具（３ａ）（３ｂ）      を設ける。このとき二個の固定具（３ａ）と固定具（３ｂ）は、Ｌ字状の開口部分      が相互に向き合うように設ける。
ハ、  アーム（１）の前方の前部（５）の上面に、短尺状の固定具（２）を固定具（３ａ      ）（３ｂ）に対して向き合うように設け、アーム（１）に載置した買物カゴ（９）      を挟持する。
ニ、  アーム（１）の前方の前部（５）の先端に接続ロープ（６）を設け、接続ロープの      先端にクリップ（７）を設ける。
ホ、  アーム（１）の前部（５）の下面と、各アーム（１ａ）（１ｂ）の後部の下面に車      輪（４ａ）（４ｂ）（４ｃ）を設ける。
本考案の台車（Ａ）は以上の構造よりなり、スーパーマーケットではアーム（１ａ）とアーム（１ｂ）に橋渡すように買物カゴ（９）を載置し、固定具（３ａ）（３ｂ）の開口部分に買物カゴ（９）の後部角部分を挟み、さらに買い物カゴ（９）の前部分はアーム（１）の前部（５）に設けた固定具（２）で挟持する。
本考案はベビーカー（Ｂ）の後部の支柱（８）の任意の箇所に、クリップ（７）で挟持して台車（Ａ）はベビーカー（Ｂ）に連結される。
これにより、ベビーカーを所持してスーパーマーケット等で買物する人は、買物カゴ（９）を台車（Ａ）に載せて移動できるので、安全で便利である。
【符号の説明】
【０００８】１ａ    アーム
１ｂ    アーム
２      固定具
３ａ    固定具
３ｂ    固定具
４ａ    車輪
４ｂ    車輪
４ｃ    車輪
５      アーム前部
６      接続ロープ
７      クリップ
８      支柱
９      買物カゴ
Ａ      台車
Ｂ      ベビーカー
【図１】
0003183705.tif 000003
【図２】
0003183705.tif 000004
【図３】
0003183705.tif 000005
【図４】
0003183705.tif 000006
【図５】
0003183705.tif 000007
(57)【要約】      （修正有）【課題】線材をコイル状に巻いてバネの弾性を利用する圧縮コイルバネを金属板などの取り付け部材で挟んで固定する場合に、簡単な構造で、ネジなどを必要とせず組み立てが容易で、しっかりと固定することができる圧縮コイルバネ固定構造を提供する。【解決手段】屈曲可能な連結材４を、片側の取り付け部材に始点として取り付け、圧縮コイルバネ１の内側を通して、対向側の取り付け部材２，３に終点として取り付けるとともに、連結材４を、取り付け部材２，３と圧縮コイルバネ１とが接触部で押圧する長さに設定する。【選択図】図１
0003183708.tif 000002
【実用新案登録請求の範囲】
【請求項１】
線材をコイル状に巻いてバネの弾性を利用する圧縮コイルバネを金属板などの取り付け部材で挟んで固定する構造に関して、屈曲可能な連結材を、片側の取り付け部材に始点として取り付け、圧縮コイルバネの内側を通して、対向側の取り付け部材に終点として取り付けるとともに、連結材を、取り付け部材と圧縮コイルバネとが接触部で押圧する長さに設定することにより、シンプルな構造で、組み立てが容易で、しっかりと固定することができる構造を提供する圧縮コイルバネ固定構造。
【考案の詳細な説明】
【技術分野】
【０００１】圧縮コイルバネを金属板などの取り付け部材に取り付けて固定する場合に、シンプルな構造で、ネジなどを必要とせず組み立てが容易で、しっかりと固定することができる構造を提供する。
【背景技術】
【０００２】線材をコイル状に巻いて押圧してバネの弾性を利用する圧縮コイルバネを金属板などの取り付け部材で挟んで固定する場合は、コイルスプリングワッシャーを利用して固定するか、又は取り付け部材にガイド穴を設けてバネの両端を落とし込むなどにより固定する方法が一般的であり、複雑で組み立ても容易ではない。
【考案が解決しようとする課題】
【０００３】線材をコイル状に巻いてバネの弾性を利用する圧縮コイルバネを金属板などの取り付け部材で挟んで固定する場合に、簡単な構造で、ネジなどを必要とせず組み立てが容易で、しっかりと固定することができる圧縮コイルバネ固定構造を提供する。
【課題を解決するための手段】
【０００４】屈曲可能な連結材を、片側の取り付け部材に始点として取り付け、圧縮コイルバネの内側を通して、対向側の取り付け部材に終点として取り付けるとともに、連結材を、取り付け部材と圧縮コイルバネとが接触部で押圧する長さに設定する。
【考案の効果】
【０００５】取り付け部材と圧縮コイルバネとが接触部で押圧する長さに設定された屈曲可能な連結材を圧縮コイルバネの内側を通して取り付け部材に固定する簡単な構造により、圧縮コイルバネの内側を通る連結材により圧縮コイルバネの脱落が防がれるとともに、取り付け部材と圧縮コイルバネの端面がバネの弾力により圧接されることによりバネのズレが規制される、簡単な構造で、ネジなどを必要とせず組み立てが容易な圧縮コイルバネ固定構造が可能となる。
【考案を実施するための形態】
【０００６】図１に本考案による圧縮コイルバネ固定構造の実施例を概念的な上面図ならびに側面図で示す。１は圧縮コイルバネ、２，３は取り付け部材、４は屈曲可能な連結材、５，６は連結材の取り付け部、Ｌは連結材の長さを示し、５を２に、６を３に取り付ける。Ｌは取り付け部材２，３それぞれの厚さに、圧縮コイルバネ１の自然長を加算した値以下として、圧縮コイルバネの端面が取り付け部材に圧接する値に設定する。取り付け部材２または３に荷重がかかると圧縮コイルバネが圧縮され、連結材４が屈曲して取り付け部材間の距離が狭くなりバネの圧縮に障害は与えないが、荷重が除かれるとバネの弾性により連結材の長さで規定される距離に戻る。本構造では、取り付け部材に荷重がかかっている場合も、かかっていない場合も圧縮コイルバネは常時取り付け部材に圧接されているためズレ難く、バネの内側の連結材により脱落も防がれている。このように、ネジなどを必要とせず、圧縮コイルバネと取り付け部材とを屈曲可能な連結材で連結するだけで構成されるため組み立ては極めて容易である。
【実施例】
【００７】取り付け部材の上にグラスを置く程度の軽荷重を例として具体的な実施例を示す。圧縮コイルバネはステンレス、連結材はナイロンタグピンを使用し、圧縮コイルバネの自然長１４ｍｍ、バネ定数０．９４１Ｎ／ｍ、取り付け部材はそれぞれ１ｍｍ厚のステンレス板とした。タグピンの長さをＬ＝（１４＋１＋１）−ｎに設定し、圧縮コイルバネと取り付け部材とを常にｎミリ相当圧接させている。このｎミリを変えることによりバネの固定強さを変える事が可能である。連結材としてタグピンを使用する理由は、小型、軽量で強靭であるとともに、取り付け部材に設ける小径穴にタグガンの針を差し込んで連結固定できるため組立が極めて容易、確実なためである。【００８】圧縮コイルバネがどの方向に、どの程度ズレるかなどを考慮して連結材の太さ、材質、本数、配置などを最適化することが出来る。図２は連結材を二本対向配置しており一定方向へのズレを防止することができる。図３は連結材四本を配置して全方位へのズレを防止することが出来る。図５は圧縮コイルバネの中に入れた軟質スポンジ９などを一本の連結材で貫通させて圧縮コイルバネの中の空間を埋めて全方位へのズレを抑制している。図４（１）は連結固定部を５，６とするタグピンを示し、（２）は連結固定部を潰し玉７，８で形成する連結材を示す。圧縮コイルバネと取り付け部材がどの方向に、どの程度のズレかを考慮して連結材の本数、配置、太さ、材質などを最適化する。圧縮コイルバネは鋼材、樹脂など、連結材は屈曲可能なワイヤー、紐、鎖などでも良いとともに、各種材質、ディメンジョンに関してもどのような荷重を対象とするのかなど各種の応用、変形に応じて最適化できるなど、本考案の趣旨を逸脱しない範囲であれば種々の変形実施が可能である。
【図面の簡単な説明】
【００９】
【図１】本考案による圧縮コイルバネ固定構造の概念図を示す。
【図２】連結材二本で構成した概念図を示す。
【図３】連結材四本で構成した概念図を示す。
【図４】（１）タグピンによる連結材の概念図を示す。（２）潰し玉による連結材の概念図を示す。
【図５】軟質スポンジを用いた連結材の概念図を示す。
【符号の説明】    Ｌ  ：連結材の長さを示す。
【図１】
0003183708.tif 000003
【図２】
0003183708.tif 000004
【図３】
0003183708.tif 000005
【図４】
0003183708.tif 000006
【図５】
0003183708.tif 000007
(57)【要約】      （修正有）【課題】一般のマスクを装着した際におこる、フィルターの許容量を超えた呼気がマスク上部の鼻梁の脇から漏れることによるメガネの曇り、また、呼気に含まれる水蒸気でフィルターが目詰まりをおこし、より一層呼気が漏れやすくなることでおこるメガネの曇りを防止するマスクを提供する。【解決手段】吸気の時だけマスクが必要と考え、呼気で開き、吸気で閉じる弁（逆止弁）を、メガネから離れたところに数箇所取り付けて、呼気は下方に排出させる。簡便性やコスト面から、マスクに穴を開け、その穴よりひとまわり大きな蓋を、開閉するように接着して弁とする例をあげる。これにより、マスク上部からの呼気の漏れによるメガネの曇り、それを助長する、水蒸気によるフィルターの目詰まりがなくなる。【選択図】図１
0003183860.tif 000002
【実用新案登録請求の範囲】
【請求項１】
マスクの数箇所に弁（逆止弁）をつけること。
【考案の詳細な説明】
【図面の簡単な説明】
【０００１】
【図１】装着した図。呼気時は弁が開き、下向きに排気される。
【図２】装着した図。吸気時は弁が自然に閉じる。
【図３】折りたたまれた図。一般のマスクと大差がない。
【図１】
0003183860.tif 000003
【図２】
0003183860.tif 000004
【図３】
0003183860.tif 000005
【手続補正書】
【提出日】平成25年3月23日(2013.3.23)
【手続補正１】
【補正対象書類名】実用新案登録請求の範囲
【補正対象項目名】全文
【補正方法】変更
【補正の内容】
【実用新案登録請求の範囲】
【請求項１】
マスク本体の数箇所に、逆止弁が付けられていることを特徴とするマスク。
【手続補正２】
【補正対象書類名】明細書
【補正対象項目名】全文
【補正方法】変更
【補正の内容】
【考案の詳細な説明】
【技術分野】
【０００１】
本考案はメガネが曇りにくいマスクに関する。
【考案の開示】
【考案が解決しようとする課題】
【０００２】
本考案は、一般のマスクを装着した際におこる、フィルターの許容量を超えた呼気がマスク上部の鼻梁の脇から漏れることによるメガネの曇り、また、呼気に含まれる水蒸気でフィルターが目詰まりをおこし、より一層呼気が漏れやすくなることでおこるメガネの曇りを、防止することを目的とする。
【考案を実施するための形態】
【０００３】
吸気時のみマスクが必要であると考え、呼気で開き、吸気で閉じる逆止弁を、メガネから離れたところに取り付け、呼気を下方に排出させる。簡便性やコスト面から、マスクに適当な大きさの穴を開け、その穴よりひとまわり大きな蓋を、外側に開閉するように接着して逆止弁とする例を挙げる。これによって、マスク上部からの呼気の漏れによるメガネの曇りと、メガネの曇りを助長する呼気に含まれる水蒸気によるフィルターの目詰まりを防止することができる。
【図面の簡単な説明】
【０００４】
【図１】装着した図。呼気時は弁が開き、下向きに排気される。
【図２】装着した図。吸気時は弁が自然に閉じる。
【図３】折りたたまれた図。一般のマスクと大差がない。
(57)【要約】      （修正有）【課題】エアソフトガンを用いての戦争ごっこ、いわゆるサバイバルゲームにおいて、人と車両が一緒に動き回れる様に、過負荷時には車輪を空転させ、安全性を向上させたサバイバルゲーム用無人車輌を提供する。【解決手段】４箇所以上の車輪４に対し、個々にトルクリミッターを設けた原動機を１つ備えたシャーシに、枠組みに丈夫な布を張ることで得られるエアソフトガンの射撃に耐える程度の耐衝撃性を有しながら軽量な構造と、無線カメラ１により送信された映像を確認しつつ、リモートコントロールで操縦を行う事による軽量化の組み合わせで安全性の高い車両とする。さらに、赤外線センサー３を搭載し、模擬ロケットランチャーから発せられる赤外線信号を受信して停止する様に構成しても良い。【選択図】図１
0003183856.tif 000002
【実用新案登録請求の範囲】
【請求項１】
原動機（６）の駆動力を４個以上の車輪（４）に分散し、さらに各車輪（４）にトルクリミッター（５）を設けたシャーシに、軽量な車体（２）を組み合わせる事で、人力で容易に車両の動きや車輪の回転を止められる安全性の高いサバイバルゲーム用無人車両。
【請求項２】
第二考案は赤外線センサー（３）を搭載し、模擬ロケットランチャーから発せられる赤外線信号を受信して停止する事を特徴とするサバイバルゲーム用無人車両である。
【考案の詳細な説明】
【背景技術】
【０００１】
従来はエアソフトガンを用いての戦争ごっこ、いわゆるサバイバルゲームにおいて、人と車両が一緒に動き回ることは危険なためできなかった。
【考案の概要】
【考案が解決しようとする課題】
【０００２】
従来は車両に衝突する危険性や車輪への巻き込みの恐れがあり人間とともに自在に動き回る車両は使用できなかった。車両を使用することができれば動く盾として使ったり、相手チームも攻撃の優先順位を考えなくてはならないなど戦略性が広がる。
【課題を解決するための手段】
【０００３】
以上の課題を解決するために、第一考案は、原動機（６）の駆動力を４個以上の車輪（４）に分散し、一つ一つに過負荷によって空転するトルクリミッター（５）を設けることで全体として出力を保ったまま各輪のトルクを制限したシャーシに、軽量の車体（２）を載せ、カメラ（１）つきの大型リモートコントロール車両とすることで容易に人力で車両の動きや車輪の回転を止められることを特徴とするサバイバルゲーム用車両である。車体（２）はＢＢ弾が命中しても破損しないよう枠組みに丈夫な布を張ったものを使用する。全体で重量を４０ｋｇ以下に抑える。第二考案はサバイバルゲームにおいて重要となる、被弾の判定を安全に行うために、赤外線センサー（３）を搭載し、模擬ロケットランチャーから発せられる赤外線信号を受信して停止する事を特徴とするサバイバルゲーム用車両である。
【考案の効果】
【０００４】
第一考案は人に衝突した際の衝撃を減らし、また、巻き込み時の被害の低減を図るため、安全に車両が運用できる。また、操縦は離れたところからディスプレーを確認しながら行うため、操縦席の重量、大きさに制限がなくなり、自由なレイアウトにできる。その結果、臨場感を増すことができる。
第二考案は赤外線を利用するため、被弾の判定においても安全性が向上し、弾丸を発射しないためメンテナンスも簡単である。
【図面の簡単な説明】
【０００５】
【図１】この考案の一実施形態を示す側面図である。
【図２】図１のＡ-Ａ断面図である。
【考案を実施するための形態】
【０００６】
第一考案は、車輪（４）１つに対し、トルクリミッターを設けた原動機（６）を１つ備えたシャーシに、枠組みに丈夫な布を張ることで得られるエアソフトガンの射撃に耐える程度の耐衝撃性を有しながら軽量な構造と、無線カメラ（１）により送信された映像を確認しつつ、リモートコントロールで操縦を行う事による軽量化の組み合わせで安全性の高い車両とする。第二考案は、赤外線センサー（３）を搭載し、模擬ロケットランチャーから発せられる赤外線信号を受信して停止する。
【実施例】
【０００７】
以下、添付図面に従って一実施例を説明する。原動機（６）の駆動力を６個の車輪（４）に分散し、車輪（４）一つ一つに過負荷によって空転するトルクリミッター（５）を設けることで全体として出力を保ったまま各車輪（４）のトルクを制限したシャーシに、軽量な車体（２）を組み合わせ、重量が４０ｋｇ以下となる。この場合、最高速度は時速７ｋｍまでとすると人と衝突しても大きな危険性は無いことが判明している。６輪駆動で７度の登坂性を持たせた場合、原動機（６）は約３．３ｋｇｆ・ｍのトルクが必要となり、これを６輪に均等に分散させた場合、一輪当たりのトルクは約０．５４ｋｇｆ・ｍとなる。車輪（４）一つ一つにこれ以上の負荷によって空転するトルクリミッター（５）を設ける。各車輪（４）に１機づつ減速機付の原動機（６）を使用し、トルクリミッターを介して車輪（４）に駆動力を伝達する。車体（２）は枠組みに丈夫な布を張ったもので構成し、無線カメラの映像およびリモートコントロールのための受信機を備える。また、第二考案の実施例として、車体中央に赤外線センサー（３）を搭載し、模擬ロケットランチャーから発せられる赤外線信号を受信して停止する機能を設ける。
【０００８】
「実施形態の効果」
この実施形態によれば、人が隠れられるほどの大きさであっても軽量である。駆動力を分散させ、各車輪（４）のトルクを制限することで全体として出力を保ったまま各車輪（４）の最高トルクを軽減することができ、６０ｃｍの車輪（４）を使用した場合外周の巻き込み力は０．３９ｋｇとなるため、容易に人力で回転をとめることができ安全性が高まる。
第二考案は赤外線信号で被弾を検知するため、被弾の判定においても安全に運用が可能である。
「他の実施形態」
図１の実施形態では、車体（２）はＢＢ弾が命中しても破損しない軽量素材として枠組みに丈夫な布を張ったものを使用していたが、他の実施形態では、中空ポリカーボネートでも良い。また、図１の実施形態では、車輪（４）一つにつき１機づつ原動機（６）を使用していたが、他の実施形態では、１機の原動機（６）の駆動力をシャフトで分配して伝達しても良い。
【符号の説明】
【０００９】
１  カメラ
２  車体
３  赤外線センサー
４  車輪
５  トルクリミッター
６  原動機
【図１】
0003183856.tif 000003
【図２】
0003183856.tif 000004
【手続補正書】
【提出日】平成25年3月6日(2013.3.6)
【手続補正１】
【補正対象書類名】実用新案登録請求の範囲
【補正対象項目名】全文
【補正方法】変更
【補正の内容】
【実用新案登録請求の範囲】
【請求項１】
原動機（６）の駆動力を４個以上の車輪（４）に分散し、さらに各車輪（４）にトルクリミッター（５）を設けたシャーシに、軽量な車体（２）を組み合わせる事で、人力で容易に車両の動きや車輪の回転を止められる安全性の高いサバイバルゲーム用無人車両。
【請求項２】
赤外線センサー（３）を搭載し、模擬ロケットランチャーから発せられる赤外線信号を受信して停止する事を特徴とする請求項１に記載のサバイバルゲーム用無人車両。
(57)【要約】【課題】  手拭き布をエプロン等の衣類に留めつけ、水仕事の際、快適に衛生的に作業を行う事が出来るための留め具を提供する。【解決手段】  手拭き布をエプロン等衣類に容易に着脱出来ると同時に手拭き布がエプロン等衣類から簡単にはずれないよう挟持する内側の面に滑り止めの工夫（例えばシリコンラバー、ソフトラバーを装着、又は、ワニグチ等）がなされ、作業の邪魔にならないと同時に安定して留めつける事が出来る大きさと形態、さらには身につけていて楽しくなる美観に配慮されたクリップである。【選択図】図１
0003183857.tif 000002
【実用新案登録請求の範囲】
【請求項１】
水仕事の際、手拭き布をエプロン等衣服に留めつけるための留め具で容易に着脱出来、作業の邪魔にならないと同時に安定して留めつけることが出来る大きさと形態、さらには美観に配慮された事を特徴とするクリップ。
【請求項２】
前記クリップは、容易に着脱出来ると同時に手拭き布がエプロン等衣服から簡単にはずれないよう挟持する内側の面に滑り止めの工夫（例えばシリコンラバー、ソフトラバーを装着又は、ワニグチ等）がなされたことを特徴とする。
【考案の詳細な説明】
【技術分野】
【０００１】  本考案は、水仕事の際、手拭き布を作業者本人のエプロン等衣類に着脱自在に留め付る為に用いるデザインにも配慮がなされたクリップに関するものである。
【背景技術】
【０００２】  （イ）従来、水仕事の際、手拭き布は壁や家具等に固定された器具に掛けられていた（        例えば特許文献１参照）。
（ロ）従来、水仕事の際、手拭き布は肩に掛けたりエプロンに挟んだりしていた。
（ハ）従来、水仕事の際、手拭き布はエプロン等衣類のポケット入れていた。
（ニ）水仕事の際、手拭き布を作業者が身に付ける為に工夫されたエプロンがあった
（例えば特許文献２、特許文献３参照）。
【先行技術文献】
【特許文献】
【０００３】
【特許文献１】特許公開２００９−７７８３４
【特許文献２】登録番号：実用新案第３１０４９９２号
【特許文献３】登録番号：実用新案第３１５２６８７号
【考案の概要】
【考案が解決しようとする課題】
【０００４】  水仕事の際、作業者は、動きながら作業をするにも関わらず、手拭き布は壁や家具に固定された器具に掛けられていて、濡れた手を拭く為にいちいちその場所に移動する必要があり不便であった。また一つの手拭き布を共同で使用することもあり衛生的にも問題があった。そういった不便さを解消する為に手拭き布をエプロン等衣類のポケットに入れたり、肩に掛けたり、身に付けているエプロンを手拭き代わりに使用したりしていたが、ポケットやエプロンが濡れてしまい不快であり、衛生的にも問題があった。また肩に掛けていると落とす恐れがあり不安定であった。以上を解決しようと、エプロンに手拭き布をボタン等で留め付けたり、手拭き布をぶら下げる構造を持つエプロンが考案されたが、いずれも特定のエプロンや手拭き布を使用しなければならず自由にエプロンや手拭き布を選択出来ないという不便さがあった。【０００５】  本考案は、このような従来の問題を解決しようとするものであり、水仕事の際、手拭き布をエプロン等の衣類に直接留め付け、快適に衛生的に作業が行える為の留め具を提案する事を目的としている。
【課題を解決する為の手段】
【０００６】  上記課題を解決する為に本考案は、エプロン等衣類に手拭き布を容易に着脱出来ると同時に簡単には外れないような挟持する内側の面に滑り止めの工夫（例えばシリコンラバー、ソフトラバーを装着又は、ワニグチ等）がなされ、作業の邪魔にならないと同時に安定して留め付ける事が出来る大きさと形態、更には身に付けていて楽しくなる美観にも配慮された事を特徴とするクリップである。
【考案の効果】
【０００７】  本考案によるクリップによって水仕事の際、手拭き布を、作業者のエプロン等の衣類に直接留め付ける事により、必要な時に即座にその場で手を拭く事が出来、水で床を濡らす事もなく、また作業者それぞれが個別に使用出来るため、衛生的であり忙しい水仕事のストレスも軽減出来る。
【０００８】  本考案によるクリップは、着脱が容易に出来る為、濡れた手拭き布を手軽に交換出来て衛生的である。
【０００９】  本考案によるクリップは、デザインを様々に変える事によりアクセサリーにもなると同時に家族や友人等、複数で水仕事を行う際、其々、異なったデザインのクリップを使用する事で個別性が守られ、衛生的であるだけでなく楽しく作業が行える。
【００１０】  本考案によるクリップは、独立しているうえ着脱が容易である為、作業者の好みで自由に選択されたエプロン等衣類の最も使用しやすいと思われる箇所に、作業者の好みで自由に選択された手拭き布を留め付ける事が出来る。
【図面の簡単な説明】
【００１１】
【図１】本考案の一実施例を示す概念図である。
【図２】本考案の一実施例を示す概念図である。
【図３】本考案の一形態例である。
【図４】本考案の一形態例である。
【考案を実施するための形態】
【００１２】  以下、考案の実施の形態について説明する。
（イ）手拭き布をエプロン等衣類に着脱が容易に出来、頻繁な開閉に耐えうる強度を持        つばねの弾力で挟持するクリップ。
（ロ）エプロン等衣類と手拭き布が簡単に外れないように挟持する内側の面に滑り止め        の工夫がなされた（例えばシリコンラバー、ソフトラバーを装着又はワニグチ等        ）クリップ。
（ハ）使用する者の邪魔にならない大きさで軽量なクリップ。
（ニ）手拭き布をエプロン等衣類に留め付けるのに適した形態であると同時に美観に配        慮された様々なデザインで作成されたクリップ。
【実施例】
【００１３】  以下添付図面に従って実施例を説明する。図１は、手拭き布３をエプロン１のポケットに本考案の一例であるクリップ２で留め付けた実施例であり、図２は、エプロン１の胸あてに手拭き布３を本考案の一例であるクリップ２で留め付けた実施例である。【００１４】  図３、図４は、本考案のクリップ２の形態例であり、クリップ上部に様々なデザインを施すことによりアクセサリーにもなり楽しく作業が行え、また複数で作業する際の個別化にもなる。更に、本考案の一例であるクリップ２の挟持する内側の面に滑り止め５の工夫がなされることにより、手拭き布２がエプロン等衣類１にしっかり留め付けられ、作業がより快適になる。
【符号の説明】
【００１５】  １エプロン等衣類
２クリップ
３手拭き布
４ばね
５滑り止め（シリコンラバー、ソフトラバー、ワニグチ等）
【図１】
0003183857.tif 000003
【図２】
0003183857.tif 000004
【図３】
0003183857.tif 000005
【図４】
0003183857.tif 000006
【手続補正書】
【提出日】平成25年3月1日(2013.3.1)
【手続補正１】
【補正対象書類名】実用新案登録請求の範囲
【補正対象項目名】全文
【補正方法】変更
【補正の内容】
【実用新案登録請求の範囲】
【請求項１】
ばねの弾力で挟持する留め具で、挟持する上下一対の挟持部片の内側の部分に滑り止め手段が設けてあるエプロン等衣類に手拭き布を留め付ける為のクリップ。
【請求項２】
前記クリップの上挟持部片の表面に様々なデザインを施している事を特徴とする、請求項１に記載のエプロン等衣類に手拭き布を留め付ける為のクリップ。